【手続補正書】
【提出日】平成25年1月24日(2013.1.24)
【手続補正１】
【補正対象書類名】明細書
【補正対象項目名】発明の名称
【補正方法】変更
【補正の内容】
【発明の名称】表示制御装置、表示制御装置の制御方法、及びプログラム、並びに記録媒体
【手続補正２】
【補正対象書類名】明細書
【補正対象項目名】０００１
【補正方法】変更
【補正の内容】
【０００１】
本発明は、タッチ入力（タッチ操作）に応じた表示を制御するための表示制御装置、表示制御装置の制御方法、及びプログラム、並びに記録媒体に関する。
【手続補正３】
【補正対象書類名】明細書
【補正対象項目名】００１６
【補正方法】変更
【補正の内容】
【００１６】
そこで、本発明の目的は、画像閲覧の妨げとなることなく、タッチ操作の際にタッチパネル上のタッチ領域を正確にユーザーに認識させることが可能な表示制御装置、表示制御装置の制御方法、及びプログラム、並びに記録媒体を提供することにある。
【手続補正４】
【補正対象書類名】明細書
【補正対象項目名】００１７
【補正方法】変更
【補正の内容】
【００１７】
上記の目的を達成するため、本発明の表示制御装置は、表示手段の表示画面上へのタッチを検出するタッチ検出手段と、前記表示画面上の第１の領域へのタッチ操作に応じて、該第１の領域に割り当てられた第１の機能を実行するように制御する制御手段と、前記表示画面上の前記第１の領域の少なくとも一部を含む領域に画像を表示し、前記タッチ検出手段によって前記第１の領域へのタッチを検出したことに応じて前記第１の領域の範囲を示す第１の識別表示を行い、該第１の領域への前記タッチが検出されなくなったことに応じて前記第１の前記識別表示を非表示とするように制御する表示制御手段とを有することを特徴とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
本発明によれば、ユーザーの画像閲覧を妨げることなく、タッチ操作を受け付けるタッチ領域を正確にユーザーに認識させることができる。
【手続補正９】
【補正対象書類名】特許請求の範囲
【補正対象項目名】全文
【補正方法】変更
【補正の内容】
【特許請求の範囲】
【請求項１】
表示手段の表示画面上へのタッチを検出するタッチ検出手段と、
前記表示画面上の第１の領域へのタッチ操作に応じて、該第１の領域に割り当てられた第１の機能を実行するように制御する制御手段と、
前記表示画面上の前記第１の領域の少なくとも一部を含む領域に画像を表示し、前記タッチ検出手段によって前記第１の領域へのタッチを検出したことに応じて前記第１の領域の範囲を示す第１の識別表示を行い、該第１の領域への前記タッチが検出されなくなったことに応じて前記第１の前記識別表示を非表示とするように制御する表示制御手段と
を有することを特徴とする表示制御装置。
【請求項２】
前記制御手段は、前記表示画面上の第２の領域へのタッチ操作に応じて、該第２の領域に割り当てられた第２の機能を実行するように制御し、
前記表示画面上の前記第１の領域の少なくとも一部及び前記第２の領域の少なくとも一部を含む領域に画像を表示し、前記タッチ検出手段によって前記第２の領域へのタッチを検出したことに応じて前記第２の領域の範囲を示す第２の識別表示を行い、該第２の領域への前記タッチが検出されなくなったことに応じて前記第２の識別表示を非表示とするように制御することを特徴とする請求項１に記載の表示制御装置。
【請求項３】
前記表示制御手段は、画像を表示する特定の動作モードに移行したことに応じて、前記第１の識別表示及び前記第２の識別表示の双方を表示するように制御し、特定の条件が満たされると前記第１の識別表示及び前記第２の識別表示を非表示にするように制御することを特徴とする請求項２に記載の表示制御装置。
【請求項４】
前記特定の条件は前記第１の識別表示及び前記第２の識別表示の双方を表示してから一定時間が経過することであることを特徴とする請求項３に記載の表示制御装置。
【請求項５】
前記表示制御手段は、前記第１の識別表示を行う際、前記第１の機能の内容を表す表示も行うことを特徴とする請求項１乃至４の何れか１項に記載の表示制御装置。
【請求項６】
前記表示制御手段は、前記第１の機能が実行できない場合には、前記タッチ検出手段で前記第１の領域へのタッチを検出しても前記第１の識別表示を行わないことを特徴とする請求項１乃至５の何れか１項に記載の表示制御装置。
【請求項７】
前記制御手段は、前記第１の領域へのタッチが所定時間以上継続した場合は、該第１の領域へのタッチが継続している間、一定時間おきに前記第１の機能を実行するように制御することを特徴とする請求項１乃至６の何れか１項に記載の表示制御装置。
【請求項８】
前記制御手段は、前記第１の領域へのタッチが所定時間以上経過したことに応じて前記第１の機能が実行された後に、該タッチが離されたことに応じては前記第１の機能を実行しないように制御することを特徴とする請求項７に記載の表示制御装置。
【請求項９】
前記制御手段は、前記第１の領域へのタッチがあり、該タッチが前記所定時間以上継続せずに離された場合には、該タッチが離されたことに応じて前記第１の機能を１回実行するように制御することを特徴とする請求項７または８に記載の表示制御装置。
【請求項１０】
前記第１の機能は、前記表示手段に表示される画像を、現在表示されている画像から特定の順序で次の画像に切り替える機能であることを特徴とする請求項１乃至９の何れか１項に記載の表示制御装置。
【請求項１１】
前記第２の機能は、前記表示手段に表示される画像を、現在表示されている画像から特定の順序で前の画像に切り替える機能であることを特徴とする請求項２乃至４の何れか１項に記載の表示制御装置。
【請求項１２】
撮像手段を備えたデジタルカメラであることを特徴とする請求項１乃至１１の何れか１項に記載の表示制御装置。
【請求項１３】
前記表示制御手段は、前記第１の識別表示を行う際、前記画像に重畳して前記第１の識別表示を表示するように制御することを特徴とする請求項１乃至１２の何れか１項に記載の表示制御装置。
【請求項１４】
表示手段の表示画面上へのタッチを検出するタッチ検出ステップと、
前記表示画面上の第１の領域へのタッチ操作に応じて、該第１の領域に割り当てられた第１の機能を実行するように制御する制御ステップと、
前記表示画面上の前記第１の領域の少なくとも一部を含む領域に画像を表示し、前記タッチ検出ステップによって前記第１の領域へのタッチを検出したことに応じて前記第１の領域の範囲を示す第１の識別表示を行い、該第１の領域への前記タッチが検出されなくなったことに応じて前記第１の前記識別表示を非表示とするように制御する表示制御ステップと
を有することを特徴とする表示制御装置の制御方法。
【請求項１５】
コンピュータを、請求項１乃至１３のいずれか１項に記載された表示制御装置の各手段として機能させるためのプログラム。
【請求項１６】
コンピュータを、請求項１乃至１３のいずれか１項に記載された表示制御装置の各手段として機能させるためのプログラムを格納したコンピュータが読み取り可能な記憶媒体。